(57)【要約】      （修正有）【課題】筐体の任意の場所から電源供給を行うことができる金属筐体を用いた円筒形レーザーポインターを提供する。【解決手段】発光素子１１と発光素子を動作させるためのスイッチ部１４、発光素子の出力特性を安定化させるための光出力安定化部１２、発光素子に電源電圧を供給するための電源供給部１５、電源供給部から金属筐体を通じて、光出力安定化部へ電源供給を行うための導電体１６（板バネ）を有している。【選択図】図１
0003192890.tif 000002
【実用新案登録請求の範囲】
【請求項１】
金属筐体を用いた円筒形レーザーポインターにおいて、発光素子部を動作させるための電源供給を、導電体（板バネ）を用いて、金属筐体から直接光出力安定化部に供給することで、前記金属筐体の任意の場所から電源供給を行うことを可能にした円筒形レーザーポインター。
【請求項２】
前記電源供給を行うための導電体（板バネ）は、光出力安定化部を固定する保持具に組み込みができる形状に加工されていることを特徴とする円筒形レーザーポインター。
【考案の詳細な説明】
【技術分野】
【０００１】本考案は、レーザーポインターに関するものである。
【要約】
【０００２】本考案の目的は、金属筐体を用いた円筒形レーザーポインターにおいて、発光素子部を動作させるための電源供給を導電体（板バネ）により直接光出力安定化部に供給することで、発光素子部を導電性の材質にする必要がなくなり、発光素子部に任意の電圧値を供給することが可能となるレーザーポインターを提供する。
【課題】
【０００３】金属筐体を用いた円筒形レーザーポインターは発光素子部を動作させるために必要な電源電圧の供給を、金属筐体から発光素子部を通じて行う必要があり、電源供給のために前記発光素子部の構造は、導通のために導電性の良いものを使用しなければならないという制約があった。
また、前記発光素子部に電源電圧を導通させることで、前記発光素子部にかかる電源電圧の値が固定されてしまい、前記発光素子に最適な電源電圧を供給することができないという課題があった。
【解決手段】
【０００４】課題を解決するための金属筐体を用いた円筒形レーザーポインターは、発光素子と発光素子を動作させるためのスイッチ部、発光素子の出力特性を安定化させるための光出力安定化部、発光素子に電源電圧を供給するための電源供給部、光出力安定化部に電源供給部から金属筐体を通じて、光出力安定化部へ電源供給を行うための導電体（板バネ）を有している。
前記金属筐体から、光出力安定化部への電源供給は導通が良く、耐食性の高い導電体（板バネ）を使うことで金属筐体の任意の場所から前記駆動回路への電源供給が可能となり、電源電圧の供給方法の自由度を持たせることができ、光出力安定化部への直接の電源供給が可能となる。
さらに、電源供給は発光素子部を通じて行わないために、発光素子部に導電性の材質を使用する必要がなく、発光素子部に電源供給部の電圧値だけでなく、任意の電源電圧を発光素子部に提供することが可能となる。
【請求の範囲】
【請求項１】
【０００５】金属筐体を用いた円筒形レーザーポインターにおいて、発光素子部を動作させるための電源供給を、導電体（板バネ）を用いて、金属筐体から直接光出力安定化部に供給することで、前記金属筐体の任意の場所から電源供給を行うことを可能にした円筒形レーザーポインター。
【請求項２】
【０００６】前記電源供給を行うための導電体（板バネ）は、光出力安定化部を固定する保持具に組み込みができる形状に加工されていることを特徴とする円筒形レーザーポインター。
【考案の詳細な説明】
【背景技術】
【０００７】レーザーポインターにおいて、金属筐体を用いた円筒形レーザーポインターは発光素子部を動作させるために必要な電源電圧の供給を、金属筐体から発光素子部を通じて行う必要があり、電源供給のために前記発光素子部の構造は、導通のために導電性の良いものを使用しなければならないという制約があった。
また、前記発光素子部に電源電圧を導通させることで、前記発光素子部にかかる電源電圧の値が固定されてしまい、前記発光素子に最適な電源電圧を供給することができないという課題があった。
【考案が解決しようとする課題】
【０００８】本考案の目的は、金属筐体を用いた円筒形レーザーポインターにおいて、発光素子が駆動するために必要な電源電圧の供給を、発光素子部を通さずに金属筐体の任意の場所から電源供給を行うことで、電源供給の方法と、発光素子部への電圧値に自由度を持たせることを特徴とする円筒形レーザーポインターを提供することにある。
【課題を解決するための手段】
【０００９】前記目的を達成するために、本考案に係る円筒形の金属筐体を用いた円筒形レーザーポインターは導電体（板バネ）を用いて筐体の任意の場所から電源供給を行うことができる。
【考案の効果】
【００１０】本考案は、金属筐体を用いた円筒形レーザーポインターにおいて、従来のように金属筐体からの電源供給の際に内部構造の制約を減らし、電源供給及び、発光素子部の供給電圧値に自由度を持たせた円筒形レーザーポインターを構成することが可能となる。
【考案を実施するための最良の形態】
【００１１】以下、本考案を実施するための最良の形態について、図面を参照して詳細に説明する。
【実施例】
【００１２】図１は本考案の実施例を示している概略図である。
１０は円筒形レーザーポインターの筐体、１１は発光素子部、１２は前記発光素子の出力特性を安定化させるための光出力安定化部、１３は前記光出力安定部を固定するための保持具、１４は発光素子を動作させるためのスイッチ、１５は電源供給部、１６は前記光出力安定部に前記電源供給部からの電圧を直接供給するための導電体（板バネ）である。
発光素子部１１は赤色レーザーダイオード、緑色レーザーダイオードなどが用いられる。前記導電体（板バネ）１６は、光出力安定化部を固定する保持具に組み込みができる形状に加工されている。
電源供給部１５から供給される電圧は、導電体（板バネ）１６を通り光出力安定化部１２へ直接供給されるため、発光素子１１は導電性の材質を必要としない。
また、発光素子部に直接で電源供給部からの電圧が印加されないため光出力安定化部に供給された電圧値から、発光素子へ最適な電圧値を供給することも可能となる。
【産業上の利用可能性】
【００１３】本考案は、金属筐体の円筒形レーザーポインターにおける、発光素子部及び、光出力安定化部への電源供給を、導電体（板バネ）を用いることで、金属筐体の任意の場所から電源供給を行えることが可能となる。
また、発光素子に直接電源供給を行わない方式のため、発光素子への電源電圧の供給方法に自由度を持たせたレーザーポインターを提供することが可能となる。
【図面の簡単な説明】
【００１４】
【図１】は、本考案の第１の実施例に係る構成を示す概略図である。
【符号の説明】
【００１５】１０：レーザーポインター筐体
１１：発光素子部
１２：光出力安定化部
１３：光出力安定化部保持具
１４：スイッチ部
１５：電源供給部
１６：導電体（板バネ）
【図１】
0003192890.tif 000003
【手続補正書】
【提出日】平成25年9月25日(2013.9.25)
【手続補正１】
【補正対象書類名】実用新案登録請求の範囲
【補正対象項目名】請求項２
【補正方法】変更
【補正の内容】
【請求項２】
請求項１記載の電源供給を行うための導電体による板バネは、光出力安定化部を固定する保持具に組み込みができる形状に加工されていることを特徴とする
請求項１記載の円筒形レーザーポインター。